(57)【要約】【課題】本発明は、表示技術分野に関し、移動端末の表示パネルにおける画像を収集するための感光素子が収集した画像のコントラストと彩度が悪く、画像表示品質が悪い問題を解決し、感光素子が収集した画像のコントラストと彩度を向上し、画質を保証する効果を達成する表示パネル、端末及び表示制御方法を提供する。【解決手段】該表示パネルは、画像表示パネルと、複数のアレイ配置された感光素子を含み、画像表示パネルと同層に位置している感光素子アレイと、感光素子アレイの上層に位置しており、その遮光領域と感光素子の感光領域とは互いに重ならない格子パネルとを含む。【選択図】図４
2020115234.tif 000002
【特許請求の範囲】
【請求項１】
画像表示パネルと、
複数のアレイ配置された感光素子を含み、前記画像表示パネルと同層に位置している感光素子アレイと、
前記感光素子アレイの上層に位置しており、その遮光領域と前記感光素子の感光領域とは互いに重ならない格子パネルと、
を含むことを特徴とする表示パネル。
【請求項２】
前記画像表示パネルは、アレイ基板と、前記アレイ基板の上層に位置している有機発光表示ＯＬＥＤ層とを含み、
前記感光素子アレイは前記アレイ基板と同層であり、又は、前記感光素子アレイは前記アレイ基板と前記ＯＬＥＤ層との間に位置しており、
前記アレイ基板は、それぞれ透明電極領域と薄膜トランジスタＴＦＴ領域とを含むｍ＊ｎ個のサブ画素ユニットを含み、
前記感光素子アレイは、それぞれ１つのサブ画素ユニットの前記ＴＦＴ領域に設置されたａ＊ｂ個の感光素子を含み、
ａ≦ｍ、ｂ≦ｎである、
ことを特徴とする、請求項１に記載の表示パネル。
【請求項３】
前記感光素子アレイが前記アレイ基板と同層又は前記アレイ基板と前記ＯＬＥＤ層との間に位置している場合、前記格子パネルは、前記アレイ基板と前記ＯＬＥＤ層との間に位置しており、又は前記ＯＬＥＤ層の上に位置しており、
前記格子パネルの遮光領域は前記透明電極領域と重なっている、
ことを特徴とする、請求項２に記載の表示パネル。
【請求項４】
前記画像表示パネルは、バックライトと、前記バックライトの上層に位置しているアレイ基板と、前記アレイ基板の上層に位置している液晶層と、前記液晶層の上層に位置しているカラーフィルター層と、前記カラーフィルター層の上層に位置している偏光子と、を含み、
前記感光素子アレイは前記アレイ基板と同層であり、又は、前記感光素子アレイは前記アレイ基板と前記液晶層との間に位置しており、又は、前記感光素子アレイは前記液晶層と前記カラーフィルター層との間に位置しており、
前記アレイ基板は、ｍ＊ｎ個の透明電極領域と薄膜トランジスタＴＦＴ領域とを含むサブ画素ユニットを含み、
前記感光素子アレイは、それぞれ１つのサブ画素ユニットの前記ＴＦＴ領域に設置されたａ＊ｂ個の感光素子を含み、
ａ≦ｍ、ｂ≦ｎである、
ことを特徴とする、請求項１に記載の表示パネル。
【請求項５】
前記感光素子アレイがアレイ基板と同層である場合、前記格子パネルは基板の上に位置しており、
前記感光素子アレイが前記アレイ基板と前記液晶層との間に位置している場合、前記格子パネルは前記感光素子アレイと前記液晶層との間に位置しており、又は、前記液晶層の上に位置しており、
前記感光素子アレイが前記液晶層と前記カラーフィルター層との間に位置している場合、前記格子パネルは前記感光素子アレイと前記カラーフィルター層との間に位置しており、又は、前記カラーフィルター層の上に位置しており、
前記格子パネルの遮光領域は前記透明電極領域と重なっている、
ことを特徴とする、請求項４に記載の表示パネル。
【請求項６】
前記格子パネルは、前記透明電極領域と重なっている遮光領域と、光漏れ領域と、を含むことを特徴とする、請求項１〜５のいずれか一項に記載の表示パネル。
【請求項７】
前記格子パネルは、下部偏光子と、前記下部偏光子の上層に位置しており、前記透明電極領域と重なっている液晶領域と光漏れ領域を含む格子液晶層と、前記格子液晶層の上層に位置している上部偏光子と、を含むことを特徴とする、請求項１〜５のいずれか一項に記載の表示パネル。
【請求項８】
前記格子パネルは、前記画像表示パネルにおける前記偏光子の上層に位置しており、格子液晶層と、前記格子液晶層の上層に位置している上部偏光子とを含み、又は、
前記格子パネルは、前記カラーフィルター層と前記偏光子との間に位置しており、前記偏光子の下層に位置しており、透明電極領域と重なっている液晶領域と光漏れ領域を含む格子液晶層と、前記格子液晶層の下層に位置している下部偏光子層とを含む、
ことを特徴とする、請求項４又は５に記載の表示パネル。
【請求項９】
更に、前記格子液晶層に接続されている格子液晶制御回路を含むことを特徴とする、請求項７又は８に記載の表示パネル。
【請求項１０】
請求項１〜９のいずれか一項に記載の表示パネルを含むことを特徴とする端末。
【請求項１１】
請求項９に記載の表示パネルを含む端末に応用される表示制御方法であって、
前記感光素子アレイが作動する際、前記格子液晶制御回路により、前記格子パネルにおける前記格子液晶層が透光状態から遮光状態に変換するように制御することを含む、
ことを特徴とする表示制御方法。
【発明の詳細な説明】
【技術分野】
【０００１】
本発明は、表示技術分野に関し、特に、表示パネル、端末及び表示制御方法に関する。
【背景技術】
【０００２】
カメラは、移動端末における一般的な基本モジュールであり、画像の収集に用いられる。
【０００３】
かかる技術においては、画像を収集する感光素子を移動端末の表示パネルに設置することにより、移動端末のフレーム領域において小孔を開き、かつ独立に取り付ける必要があるカメラを代替する。
【発明の概要】
【０００４】
移動端末の表示パネルにおいて、画像を収集する感光素子により収集された画像のコントラストと彩度が低く、画像の表示品質が悪いという問題を解決するために、本発明は、以下態様の表示パネル、端末及び表示制御方法を提供する。
【０００５】
第１の態様によれば、本発明の実施例に係る表示パネルは、
画像表示パネルと、
複数のアレイ配置された感光素子を含み、画像表示パネルと同層に位置している感光素子アレイと、
感光素子アレイの上層に位置しており、その遮光領域と感光素子の感光領域とは互いに重ならない格子パネルと、を含む。
【０００６】
好ましくは、画像表示パネルは、アレイ基板、アレイ基板の上層に位置している有機発光表示ＯＬＥＤ層を含み、
感光素子アレイはアレイ基板と同層であり、又は、感光素子アレイはアレイ基板とＯＬＥＤ層との間に位置しており、
アレイ基板は、それぞれ透明電極領域と薄膜トランジスタＴＦＴ領域とを含むｍ＊ｎ個のサブ画素ユニットを含み、
感光素子アレイは、それぞれ１つのサブ画素ユニットのＴＦＴ領域に設置されたａ＊ｂ個の感光素子を含み、
ａ≦ｍ、ｂ≦ｎである。
【０００７】
好ましくは、感光素子アレイがアレイ基板と同層であり、又はアレイ基板とＯＬＥＤ層との間に位置している場合、格子パネルは、アレイ基板とＯＬＥＤ層との間に位置しており、又はＯＬＥＤ層の上に位置しており、
格子パネルの遮光領域は透明電極領域と重なっている。
【０００８】
好ましくは、画像表示パネルは、バックライトと、バックライトの上層に位置しているアレイ基板と、アレイ基板の上層に位置している液晶層と、液晶層の上層に位置しているカラーフィルター層と、カラーフィルター層の上層に位置している偏光子と、を含み、
感光素子アレイはアレイ基板と同層であり、又は、感光素子アレイはアレイ基板と液晶層との間に位置しており、又は、感光素子アレイは液晶層とカラーフィルター層との間に位置しており、
アレイ基板は、ｍ＊ｎ個の透明電極領域と薄膜トランジスタＴＦＴ領域とを含むサブ画素ユニットを含み、
感光素子アレイは、それぞれ１つのサブ画素ユニットのＴＦＴ領域に設置されたａ＊ｂ個の感光素子を含み、
ａ≦ｍ、ｂ≦ｎである。
【０００９】
好ましくは、感光素子アレイがアレイ基板と同層である場合、格子パネルはアレイ基板の上に位置しており、
感光素子アレイがアレイ基板と液晶層との間に位置している場合、格子パネルは感光素子アレイと液晶層との間に位置しており、又は、液晶層の上に位置しており、
感光素子アレイが液晶層とカラーフィルター層との間に位置している場合、格子パネルは感光素子アレイとカラーフィルター層との間に位置しており、又は、カラーフィルター層の上に位置しており、
格子パネルの遮光領域は透明電極領域と重なっている。
【００１０】
好ましくは、格子パネルは、透明電極領域と重なっている遮光領域と、光漏れ領域と、を含む。
【００１１】
好ましくは、格子パネルは、下部偏光子と、透明電極領域と重なっている液晶領域と光漏れ領域を含み、下部偏光子の上層に位置している格子液晶層と、格子液晶層の上層に位置している上部偏光子と、を含む。
【００１２】
好ましくは、格子パネルは、画像表示パネルにおける偏光子の上層に位置しており、格子液晶層と、格子液晶層の上層に位置している上部偏光子とを含み、又は、
格子パネルは、カラーフィルター層と偏光子との間に位置しており、偏光子の下層に位置している格子液晶層と、格子液晶層の下層に位置している下部偏光子層とを含み、
格子液晶層は、透明電極領域と重なっている液晶領域と光漏れ領域とを含む。
【００１３】
好ましくは、表示パネルは、更に格子液晶層に接続されている格子液晶制御回路を含む。
【００１４】
第２の態様によれば、本発明の実施例に係る端末は、第１の態様に記載の表示パネルを含む。
【００１５】
第３の態様によれば、本発明の実施例に係る表示制御方法は、第１の態様に記載の表示パネルを含む端末に応用され、感光素子アレイが作動する際、格子液晶制御回路により、格子パネルにおける格子液晶層が透光状態から遮光状態に変換するように制御することを含む。
【発明の効果】
【００１６】
格子パネルを感光素子アレイの上層に設置することで、格子パネルの遮光領域と感光素子の感光領域とが互いに補足するように重なっているため、遮光領域により、感光領域以外の全ての領域には光が透過せず、感光素子に斜めに射す光線が透過することを遮断し、感光素子に垂直に射す光線を透過させ、感光素子に垂直する方向以外の方向の光線が透過することを減少させ、感光素子により収集された画像のコントラストと彩度を向上させ、画質を保証することができる。
【図面の簡単な説明】
【００１７】
以下、本発明の実施例における技術的解決手段をより明瞭に説明するために、実施例の説明において使用される図面について簡単に説明する。以下の説明における図面は本発明の一部の実施例に過ぎず、当業者にとって、創造的な労働を付しない前提で、これらの図面に基づいてその他の図面をさらに取得することができることは明らかである。
【００１８】
【図１】本発明の実施例により提供される画像表示パネルの構造を示す図である。
【図２Ａ】アレイ基板の画素ユニットの配置方式を示す図である。
【図２Ｂ】本発明の実施例により提供される画像表示パネルの構造を示す図である。
【図２Ｃ】一つの例示的な実施例に係る感光素子の位置を示す図である。
【図３Ａ】本発明の他の一つの実施例により提供される画像表示パネルの構造を示す図である。
【図３Ｂ】本発明の他の一つの実施例により提供される画像表示パネルの構造を示す図である。
【図３Ｃ】本発明の他の一つの実施例により提供される画像表示パネルの構造を示す図である。
【図４】本発明の他の一つの実施例により提供される表示パネルの構造を示す図である。
【図５】本発明の他の一つの実施例により提供される表示パネルの表示領域を示す図である。
【図６Ａ】本発明の一つの実施例により提供される表示パネルの構造を示す図である。
【図６Ｂ】本発明の他の一つの実施例により提供される表示パネルの構造を示す図である。
【図６Ｃ】本発明の他の一つの実施例により提供される表示パネルの表示領域を示す図である。
【図６Ｄ】本発明の他の一つの実施例により提供される表示パネルの表示領域を示す図である。
【図７Ａ】本発明の他の一つの実施例により提供される表示パネルの構造を示す図である。
【図７Ｂ】本発明の他の一つの実施例により提供される表示パネルの構造を示す図である。
【図７Ｃ】本発明の他の一つの実施例により提供される表示パネルの構造を示す図である。
【図７Ｄ】本発明の他の一つの実施例により提供される表示パネルの構造を示す図である。
【図７Ｅ】本発明の他の一つの実施例により提供される表示パネルの構造を示す図である。
【図７Ｆ】本発明の他の一つの実施例により提供される表示パネルの構造を示す図である。
【図８Ａ】本発明の他の一つの実施例により提供される表示パネルの構造を示す図である。
【図８Ｂ】本発明の他の一つの実施例により提供される表示パネルの構造を示す図である。
【図８Ｃ】本発明の他の一つの実施例により提供される表示パネルの構造を示す図である。
【図８Ｄ】本発明の他の一つの実施例により提供される表示パネルの構造を示す図である。
【図９Ａ】本発明の実施例により提供される格子パネルの構造を示す図である。
【図９Ｂ】本発明の他の一つの実施例により提供される格子パネルの構造を示す図である。
【図９Ｃ】本発明の他の一つの実施例により提供される格子パネルの構造を示す図である。
【図１０】一つの例示的な実施例により示された端末のブロック図である。
【図１１】他の一つの例示的な実施例により示された端末のブロック図である。
【発明を実施するための形態】
【００１９】
ここでは、例示的な実施例について詳しく説明する。例示的な実施例は、図面に示されている。以下、図面に関わる説明において、特別な説明がない限り、異なる図面における同じ符号は、同一又は類似の要素を示している。以下の例示的な実施例に記載された実施形態は、本発明と一致する全ての実施形態を代表するものではない。反対に、それらは特許請求の範囲に記載された本発明の一部の態様と一致する装置と方法の例に過ぎない。
【００２０】
本発明の実施例を説明する前に、２種類の画像表示パネルに対して簡単に説明する。この２種類の画像表示パネルは、それぞれＯＬＥＤ（Ｏｒｇａｎｉｃ  Ｌｉｇｈｔ  Ｅｍｉｔｔｉｎｇ  Ｄｉｓｐｌａｙ、有機発光表示）パネルとＬＣＤ（Ｌｉｑｕｉｄ  Ｃｒｙｓｔａｌ  Ｄｉｓｐｌａｙ、液晶表示）パネルである。
【００２１】
図１は、ＯＬＥＤパネルの構造を示す図である。図１に示すように、当該ＯＬＥＤパネルは、アレイ基板１１０、アレイ基板１１０の上層に位置しているＯＬＥＤ層１２０を含む。
【００２２】
ＯＬＥＤ層１２０はｘ＊ｎ個の画素ユニットを含み、各画素ユニットはｙ個のサブ画素ユニットを含み、即ち、ＯＬＥＤ層はｍ＊ｎ個のサブ画素ユニットを含み、ｍ＝ｘ＊ｙである。一般的に、各画素ユニットは、それぞれＲ（ＲＥＤ、赤）サブ画素ユニット、Ｇ（Ｇｒｅｅｎ、緑）サブ画素ユニット、Ｂ（Ｂｌｕｅ、青）サブ画素ユニットという３つのサブ画素ユニットを含む。一部の実施例において、各画素ユニットは、それぞれＲ（ＲＥＤ、赤）サブ画素ユニット、Ｇ（Ｇｒｅｅｎ、緑）サブ画素ユニット、Ｂ（Ｂｌｕｅ、青）サブ画素ユニット及びＷ（Ｗｈｉｔｅ、白）サブ画素ユニットという４つのサブ画素ユニットを含む。即ち、ｙは３又は４である。ここで、ｍ、ｎ、ｘ、ｙは正整数である。
【００２３】
それに応じて、アレイ基板１１０も、ＯＬＥＤ層１２０におけるサブ画素ユニットに対応するｍ＊ｎ個のサブ画素ユニットを含む。
【００２４】
アレイ基板１１０はＯＬＥＤ層１２０のために駆動電界を提供し、ＯＬＥＤ層１２０における有機半導体材料と発光材料が電界の駆動により発光することで、画像の表示を実現する。
【００２５】
図２Ａは、アレイ基板１１０における画素ユニットの配置方式を例示的に示す図である。図２に示すように、当該領域は４＊４個の画素ユニットである１６個の画素ユニットを含み、各画素ユニットは３つのサブ画素ユニット２０を含み、１６個の画素ユニットは合計４８個のサブ画素ユニットを含む。各サブ画素ユニット２０はＴＦＴ（Ｔｈｉｎ  Ｆｉｌｍ  Ｔｒａｎｓｉｓｔｏｒ、薄膜トランジスタ）領域２２と透明電極領域２４を含む。
【００２６】
なお、図２Ａではアレイ基板１１０の局所領域のみを示し、アレイ基板１１０は複数の図２Ａに示すような領域により構成されることができ、図２Ａに示された配置方式は例示的と解釈的なものに過ぎず、本発明の実施例はその他の可能な配置方式であってもよく、限定しない。
【００２７】
ＯＬＥＤパネルの構造によって、感光素子アレイは以下の位置を有する場合がある。
１、感光素子アレイとアレイ基板１１０とが同層である。
２、感光素子アレイ１３０は、図２Ｂに示すように、アレイ基板１１０とＯＬＥＤ層１２０との間に位置している。
【００２８】
ここで、感光素子アレイはａ＊ｂ個の感光素子を含み、各感光素子は１つのサブ画素ユニットのＴＦＴ領域に設置されている。ただし、ａ≦ｍ、ｂ≦ｎであり、ａ、ｂは正整数である。
【００２９】
感光素子の数がアレイ基板におけるサブ画素ユニットの数と同じである場合、即ち、ａ＝Ｋ＊ｍ、ｂ＝ｎである場合、感光素子アレイにおける感光素子とアレイ基板におけるサブ画素ユニットとは一対一で対応し、即ち、各サブ画素ユニットについていずれも１つの感光素子が対応し、図２Ｃに示すように、各ＴＦＴ領域２６についていずれも１つの感光素子２５が対応している。
【００３０】
感光素子の数がアレイ基板におけるサブ画素ユニットの数より小さい場合、即ち、ａ＜Ｋ＊ｍ、ｂ＜ｎ、又は、ａ＜Ｋ＊ｍ、ｂ＝ｎ、又は、ａ＝Ｋ＊ｍ、ｂ＜ｎである場合、感光素子とアレイ基板における一部のサブ画素ユニットが対応している。
【００３１】
図３Ａは、ＬＣＤパネルの構造を示す図である。図３Ａに示すように、当該ＬＣＤパネルは、バックライト３１０と、バックライト３１０の上層に位置している第１偏光子３２０と、第１偏光子３２０の上層に位置しているアレイ基板３３０と、アレイ基板３３０の上層に位置している液晶層３４０と、液晶層３４０の上層に位置しているカラーフィルター層３５０と、カラーフィルター層３５０の上層に位置している第２偏光子３６０とを含む。
【００３２】
バックライト３１０はＬＣＤパネルのためにバックライトを提供し、バックライト３１０はＥＬ（Ｅｌｅｃｔｒｏ  Ｌｕｍｉｎｅｓｃｅｎｔ、エレクトロルミネッセント）、ＣＣＦＬ（Ｃｏｌｄ  Ｃａｔｈｏｄｅ  Ｆｌｕｏｒｅｓｃｅｎｔ  Ｌａｍｐ、冷陰極管）、ＬＥＤ（Ｌｉｇｈｔ  Ｅｍｉｔｔｉｎｇ  Ｄｉｏｄｅ、発光ダイオード）等のいずれかを含むが、それに限定されない。
【００３３】
第１偏光子３２０と第２偏光子３６０は特定の方向の光線を透過させるためのものであり、第１偏光子３２０と第２偏光子３６０との光透過軸は互いに垂直している。
【００３４】
アレイ基板３３０はｘ＊ｎ個の画素ユニットを含み、各画素ユニットはｙ個のサブ画素ユニットを含み、即ち、ＯＬＥＤ層はｍ＊ｎ個のサブ画素ユニットを含み、ｍ＝ｘ＊ｙである。一般的に、各画素ユニットはそれぞれ、Ｒサブ画素ユニット、Ｇサブ画素ユニット、Ｂサブ画素ユニットという３つのサブ画素ユニットを含む。一部の実施例において、各画素ユニットはそれぞれ、Ｒサブ画素ユニット、Ｇサブ画素ユニット、Ｂサブ画素ユニットとＷサブ画素ユニットという４つのサブ画素ユニットを含む。即ち、ｙは３又は４である。
【００３５】
アレイ基板３３０における画素ユニットの配置方式は、図２Ａに示すとおりで、ここでは説明を省略する。バックライト３３０により提供されるバックライトは透明電極領域２４を透過できるが、ＴＦＴ領域２２を透過できない。
【００３６】
液晶層３４０における液晶分子は、アレイ基板３３０におけるＴＦＴ領域２２に制御されて回転し、異なる回転角度で異なる程度の光を透過させることによって、各画素ユニットの表示グレースケールを形成する。
【００３７】
カラーフィルター層３５０は、ＬＣＤパネルにてカラー画面を表示させることができ、カラーフィルター層３５０は、アレイ配置されたＲ、Ｇ、Ｂの３種類の異なる色の（赤、緑、青）フィルター領域を含む。フィルター領域はアレイ基板３３０におけるサブ画素ユニットと一対一で対応している。
【００３８】
バックライト３１０により発生された光線が、下から第１偏光子３２０、アレイ基板３３０における光透過性電極領域、液晶層３４０、カラーフィルター層３５０、第２偏光子３６０を順に透過し、アレイ基板３３０により発生された電圧により液晶層３４０における液晶分子の回転方向を制御し、液晶分子の回転方向によって液晶層３４０が光線の輝度を変更し、カラーフィルター層におけるＲ、Ｇ、Ｂの３種類の異なる色に対応する異なるサブ画素ユニットにおいて異なる濃淡値を生成することにより、画像の表示を実現する。
【００３９】
ＬＣＤパネルの構造によって、感光素子アレイは以下３つの位置を有する場合がある。
１、感光素子アレイとアレイ基板とが同層である。
２、図３Ｂに示すように、感光素子アレイ３７０がアレイ基板３３０と液晶層３４０との間に位置している。
３、図３Ｃに示すように、感光素子アレイ３７０が液晶層３４０とカラーフィルター層３５０との間に位置している。
【００４０】
ここで、感光素子アレイはａ＊ｂ個の感光素子を含み、各感光素子は１つのサブ画素ユニットのＴＦＴ領域に設置されており、ａ≦ｍ、ｂ≦ｎであり、ａ、ｂは正整数である。
【００４１】
感光素子の数がアレイ基板におけるサブ画素ユニットの数と同じである場合、即ち、ａ＝Ｋ＊ｍ、ｂ＝ｎである場合、感光素子アレイにおける感光素子とアレイ基板におけるサブ画素ユニットとは一対一で対応し、即ち、各サブ画素ユニットについていずれも１つの感光素子が対応され、図２Ｃに示すように、各ＴＦＴ領域２６についていずれも１つの感光素子２５が対応されており、
感光素子の数がアレイ基板におけるサブ画素ユニットの数より小さい場合、即ち、ａ＜Ｋ＊ｍ、ｂ＜ｎ、又は、ａ＜Ｋ＊ｍ、ｂ＝ｎ、又は、ａ＝Ｋ＊ｍ、ｂ＜ｎである場合、感光素子はアレイ基板における一部のサブ画素ユニットに対応している。
【００４２】
図４は、一つの例示的な実施例に係る表示パネルの構造を示す図である。該表示パネルは、携帯電話、タブレットＰＣ、ノートパソコン等の電子機器の表示パネルであってもよい。図４に示すように、該表示パネルは、
画像表示パネル（未図示）と、
複数のアレイ配置された感光素子を含み、画像表示パネルと同層に位置している感光素子アレイ４１０と、
感光素子アレイ４１０の上層に位置しており、その遮光領域と感光素子の感光領域とは互いに重ならない格子パネル４２０と、を含む。
【００４３】
格子パネルの遮光領域は感光素子の感光領域と互いに重ならず、即ち、格子パネルの遮光領域は感光素子の感光領域と互いに補足し、格子パネルの遮光領域における遮断されていない領域は感光素子の感光領域ではなく、感光素子の感光領域は格子パネルの遮光領域ではなく、感光素子の感光領域は格子パネルの遮光領域と互いに補足し、感光素子の感光領域に格子パネルの遮光領域を加えたものが表示パネルの表示領域である。
【００４４】
図５では表示パネルの表示領域を例示的に示し、ブランク部分は、感光素子の感光領域５１で、黒色部分は格子パネルの遮光領域５２であり、感光素子の感光領域５１に格子パネルの遮光領域５２を加えたものが表示パネルの表示領域である。
【００４５】
なお、図５は表示パネルの表示領域の局所領域のみを示し、表示領域は複数の図５に示すような領域により構成されることができ、図５に示された表示領域は例示的と解釈的なものに過ぎず、本発明の実施例はその他の可能な表示領域であってもよく、限定しない。
【００４６】
要するに、本発明の実施例により提供される表示パネルは、格子パネルを感光素子アレイの上層に設置することにより、格子パネルの遮光領域と感光素子の感光領域とが互いに補足するように重なっているため、遮光領域により、感光領域以外の全ての領域に光を透過させず、感光素子に斜めに射す光線が透過することを遮断し、感光素子に垂直に射す光線を透過させ、感光素子に垂直する方向以外の方向の光線が透過することを減少させ、感光素子により収集した画像のコントラストと彩度を向上させ、画質を保証することができる。
【００４７】
一つの実現可能な形態において、画像表示パネルはＯＬＥＤパネルであり、感光素子アレイがアレイ基板と同層であるか、又はアレイ基板とＯＬＥＤ層との間に位置している場合、格子パネルは、表示パネルにおいて以下の二つの位置を有する場合がある。
１、格子パネルがアレイ基板とＯＬＥＤ層との間に位置している。図６Ａに示すように、格子パネル６１０がアレイ基板１１０とＯＬＥＤ層１２０との間に位置している。
２、格子パネルがＯＬＥＤ層の上に位置している。図６Ｂに示すように、格子パネル６１０がＯＬＥＤ層１２０の上に位置している。
【００４８】
ここで、格子パネルの遮光領域は透明電極領域と重なり、遮光領域はＴＦＴ領域と重なっていない。
【００４９】
好ましくは、格子パネルの遮光領域は透明電極領域と完全に重なっている。図６Ｃに示すように、黒色領域６１は遮光領域であり、遮光領域の下方は透明電極領域であり、遮光領域と感光素子の感光領域６２とは重ならず、感光領域６２は、ＴＦＴ領域であり、各ＴＦＴ領域には１つの感光素子６５が設置されている。
【００５０】
好ましくは、格子パネルの遮光領域は透明電極領域の一部の領域と重なっている。図６Ｄに示すように、黒色領域６３は遮光領域であり、遮光領域６３の下方は透明電極領域であり、遮光領域６３は透明電極領域の一部の領域と重なり、感光素子の感光領域６４と重なっていない。
【００５１】
他の一つの実現可能な形態において、画像表示パネルはＬＣＤパネルであり、格子パネルの表示パネルにおける位置は感光素子アレイの位置に関連している。
【００５２】
１、感光素子アレイがアレイ基板と同層である場合、格子パネルは表示パネルにおいて以下の四つの位置を有する場合がある。
（１）格子パネルはアレイ基板と液晶層との間に位置している。図７Ａに示すように、格子パネル７１０はアレイ基板３３０とＯＬＥＤ層３４０との間に位置している。
（２）格子パネルは液晶層とカラーフィルター層との間に位置している。図７Ｂに示すように、格子パネル７１０はアレイ基板３４０とカラーフィルター層３５０との間に位置している。
（３）格子パネルはカラーフィルター層と第２偏光子との間に位置している。図７Ｃに示すように、格子パネル７１０はカラーフィルター層３５０と第２偏光子３６０との間に位置している。
（４）格子パネルは第２偏光子の上に位置している。図７Ｄに示すように、格子パネル７１０は第２偏光子３６０の上に位置している。
【００５３】
２、感光素子アレイがアレイ基板と液晶層との間に位置している場合、格子パネルは、表示パネルにおいて以下の四つの位置を有する場合がある。
（１）格子パネルは感光素子アレイと液晶層との間に位置しており、図７Ｅに示すように、格子パネル７１０は感光素子アレイ３７０と液晶層３４０との間に位置している。
（２）格子パネルは液晶層とカラーフィルター層との間に位置しており、図７Ｆに示すように、格子パネル７１０は液晶層３４０とカラーフィルター層３５０との間に位置している。
（３）格子パネルはカラーフィルター層と第２偏光子との間に位置しており、図８Ａに示すように、格子パネル７１０はカラーフィルター層３５０と第２偏光子３６０との間に位置している。
（４）格子パネルは第２偏光子の上に位置しており、図８Ｂに示すように、格子パネル７１０は第２偏光子３６０の上に位置している。
【００５４】
３、感光素子アレイが液晶層とカラーフィルターとの間に位置している場合、格子パネルは表示パネルにおいて以下の二つの位置を有する場合がある。
（１）格子パネルはカラーフィルター層と第２偏光子との間に位置しており、図８Ｃに示すように、格子パネル７１０はカラーフィルター層３５０と第２偏光子３６０との間に位置している。
（２）格子パネルは第２偏光子の上に位置しており、図８Ｄに示すように、格子パネル７１０は第２偏光子３６０の上に位置している。
【００５５】
ここで、格子パネルの遮光領域は透明電極領域と重なり、遮光領域はＴＦＴ領域と重なっていない。
【００５６】
好ましくは、格子パネルの遮光領域は透明電極領域と完全に重なっている。
【００５７】
好ましくは、格子パネルの遮光領域は透明電極領域の一部の領域と重なっている。
【００５８】
図４、図６Ａ、図６Ｂ、図７Ａ、図７Ｂ、図７Ｃ、図７Ｄ、図７Ｅ、図７Ｆ、図８Ａ、図８Ｂ、図８Ｃ、又は図８Ｄに示すような表示パネルにおいて、格子パネルは静的構造（固定構造）であり、格子パネルは遮光領域と光漏れ領域を含み、格子パネルにおける遮光領域と光漏れ領域は、感光素子の作動状況に応じて変化することがなく、遮光領域と透明電極領域は重なっている。図６Ｃに示すように、領域６１は格子パネルの遮光領域であり、領域６２は格子パネルの光漏れ領域である。
【００５９】
格子パネルが静的構造であるため、即ち、格子パネルの遮光領域および光漏れ領域の位置と光透過率とのいずれも変化することがないため、表示パネルが感光素子アレイが動作しない状況においても画像を表示できることと、感光素子アレイが画像を収集する際に垂直方向以外の方向の光線の影響を受けないことを同時に保証するために、格子パネルにおける遮光領域の光透過率は実際の状況によって決められた所定値より大きくてはならない。
【００６０】
好ましくは、格子パネルは、透明又は半透明であるとともに所定の厚さを有するパネルである。
【００６１】
静的構造の格子パネルは、表示パネルに照射する光線だけでなく、表示パネルから出射する光線も遮断し、画像を表示する際、画像の表示効果に対して影響があるため、静的構造の格子パネルは、一般的に、光透過率の要求が高くない表示パネルに使用されている。
【００６２】
図４、図６Ａ、図６Ｂ、図７Ａ、図７Ｂ、図７Ｃ、図７Ｄ、図７Ｅ、図７Ｆ、図８Ａ、図８Ｂ、図８Ｃ、又は図８Ｄに示すような表示パネルにおいて、格子パネルは動的構造であり、図９Ａ示すように、格子パネルは、下部偏光子９１０、下部偏光子の上層に位置している格子液晶層９２０、格子液晶層９２０の上層に位置している上部偏光子９３０を含み、
格子液晶層は液晶領域と光漏れ領域を含み、液晶領域の液晶状態は感光素子の作動状況に応じて変化することができ、液晶領域と透明電極領域とは重なっている。
【００６３】
図６Ｃに示すように、領域６１は格子パネルの液晶領域であり、領域６２は格子パネルの光漏れ領域であり、液晶領域６１の下方は透明電極領域である。
【００６４】
図７Ｄ、図８Ｂ、又は図８Ｄに示すような表示パネルにおいて、格子パネルは動的構造であり、図９Ｂ示すように、格子パネルは、第２偏光子９４０の上層に位置している格子液晶層９２０、格子液晶層９２０の上層に位置している上部偏光子９３０を含み、
格子液晶層は液晶領域と光漏れ領域を含み、液晶領域の液晶状態は感光素子の作動状況に応じて変化することができ、液晶領域と透明電極領域とは重なっている。
【００６５】
図６Ｃに示すように、領域６１は格子パネルの液晶領域であり、領域６２は格子パネルの光漏れ領域であり、液晶領域６１の下方は透明電極領域である。
【００６６】
図７Ｃ、図８Ａ、又は図８Ｃに示すような表示パネルにおいて、格子パネルは動的構造であり、図９Ｃに示すように、格子パネルは、第２偏光子９４０の下層に位置している格子液晶層９２０、格子液晶層９２０の下層に位置している下部偏光子９５０を含み、
格子液晶層は液晶領域と光漏れ領域を含み、液晶領域の液晶状態は感光素子の作動状況に応じて変化することができ、液晶領域と透明電極領域とは重なっている。
【００６７】
図６Ｃに示すように、領域６１は格子パネルの液晶領域であり、領域６２は格子パネルの光漏れ領域であり、液晶領域６１の下方は透明電極領域である。
【００６８】
図９Ａ、図９Ｂ、又は図９Ｃに示すような格子パネルを基づく表示パネルにおいて、表示パネルは、更に、格子パネルにおける格子液晶に接続された格子液晶制御回路を含む。
【００６９】
格子液晶回路は、格子パネルの格子液晶層における液晶領域の状態を制御するのに用いられる。
【００７０】
好ましくは、格子液晶回路は、２つの電極を含み、一方の電極は液晶領域における水平方向の液晶の状態を制御するのに用いられ、他方の電極は液晶領域における垂直方向の液晶の状態を制御するのに用いられる。
【００７１】
好ましくは、格子液晶回路は、液晶領域における水平方向の液晶と垂直方向の液晶の状態を制御するための１つの電極を含む。
【００７２】
図１０は、本発明の一つの例示的な実施例により示された端末のブロック図である。図１０に示すように、該端末１０００は、表示パネル１０１０、メモリ１０２０、処理モジュール１０３０、電源モジュール１０４０、オーディオモジュール１０５０、Ｉ／Ｏインターフェース１０６０を含む。
【００７３】
表示パネル１０１０は、上記実施例により提供される図４、図６Ａ、図６Ｂ、図７Ａ、図７Ｂ、図７Ｃ、図７Ｄ、図７Ｅ、図７Ｆ、図８Ａ、図８Ｂ、図８Ｃ、図８Ｄのいずれかに示された表示パネルであってもよい。
【００７４】
表示パネル１０１０は、感光素子アレイ（未図示）を含む画像表示パネル１０１１、静的構造の格子パネル１０１２を含む。
【００７５】
メモリ１０２０は、端末１０００における操作をサポートするために、様々な種類のデータを記憶するように構成されている。これらのデータの例としては、装置１０００において操作される如何なるアプリケーション又は方法のコマンド、連絡先データ、電話帳データ、メッセージ、画像、ビデオなどがある。メモリ１０２０は、如何なる種類の揮発性又は不揮発性メモリ又はそれらの組み合わせ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【００７６】
処理モジュール１０３０は、一般的に、端末１０００の全体的操作を制御し、例えば、表示、電話の呼び出し、データ通信、カメラ操作及び記録操作に関わる操作を制御する。処理モジュール１０３０は、上記方法の全部又は一部のステップを実現するために、コマンドを実行するための１つ又は複数のプロセッサを含むことができる。なお、処理モジュール１０３０は、その他のモジュールとのインタラクションが便利であるように、１つ又は複数のモジュールを含むことができる。
【００７７】
電源モジュール１０４０は、端末１０００の様々なモジュールのために電力を提供する。電源モジュール１０４０は、電源管理システム、１つ又は複数の電源、及びその他の端末１０００に対する電力の生成、管理及び供給に関連するモジュールを含むことができる。
【００７８】
オーディオモジュール１０５０は、オーディオ信号を出力及び／又は入力するように構成されている。例えば、オーディオモジュール１０５０は、マイクロフォン（ＭＩＣ）を含み、端末１０００が操作モードである場合、例えば、呼び出しモード、記録モードと音声認識モードである場合、マイクロフォンは外部のオーディオ信号を受信するように構成されている。受信されたオーディオ信号は、さらにメモリに記憶されることができる。一部の実施例において、オーディオモジュール１０５０は、さらにオーディオ信号を出力するスピーカーを含む。
【００７９】
Ｉ／Ｏインターフェース１０６０は、処理モジュール１０３０と周辺インターフェースモジュールとの間にインターフェースを提供し、上記周辺インターフェースモジュールは、キーボード、クリックホイール、ボタンなどであってもよい。これらのボタンは、ホームボタン、ボリュームボタン、スタートボタン及びロックボタンを含むことができるが、それに限定されない。
【００８０】
図１１は、本発明の一例示的な実施例により示された端末のブロック図である。図１１に示すように、端末１１００は、表示パネル１１１０、メモリ１１２０、処理モジュール１１３０、電源モジュール１１４０、オーディオモジュール１１５０、Ｉ／Ｏインターフェース１１６０を含む。
【００８１】
表示パネル１１１０は、上記実施例により提供される図４、図６Ａ、図６Ｂ、図７Ａ、図７Ｂ、図７Ｃ、図７Ｄ、図７Ｅ、図７Ｆ、図８Ａ、図８Ｂ、図８Ｃ、又は図８Ｄのいずれかに示された表示パネルであってもよい。
【００８２】
表示パネル１１１０は、感光素子アレイ（未図示）を含む画像表示パネル１１１１、動的構造の格子パネル１１１２、格子パネル１１１２における格子液晶（未図示）に接続された格子液晶制御回路１１１３を含む。
【００８３】
メモリ１１２０は、装置１１００における操作をサポートするために、様々な種類のデータを記憶するように構成されている。これらのデータの実例は、装置１１００において操作される如何なるアプリケーション又は方法のコマンド、連絡先データ、電話帳データ、メッセージ、画像、ビデオなどを含む。メモリ１１００は、如何なる種類の揮発性又は不揮発性メモリ又はそれらの組み合わせ、例えば、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクにより実現することができる。
【００８４】
処理モジュール１１３０は、一般的に、端末１１００の全体的操作を制御し、例えば、表示、電話の呼び出し、データ通信、カメラ操作及び記録操作に関わる操作を制御する。処理モジュール１１３０は、上記方法の全部又は一部のステップを完成するために、コマンドを実行するための１つ又は複数のプロセッサを含むことができる。また、処理モジュール１１３０は、その他のモジュールとのインタラクションが便利であるように、１つ又は複数のモジュールを含むことができる。
【００８５】
電源モジュール１１４０は、端末１１００の様々なモジュールのために電力を提供する。電源モジュール１１４０は、電源管理システム、１つ又は複数の電源、及びその他の端末１１００に対する電力の生成、管理及び供給に関連するモジュールを含むことができる。
【００８６】
オーディオモジュール１１５０は、オーディオ信号を出力及び／又は入力するように構成されている。例えば、オーディオモジュール１１５０は、マイクロフォン（ＭＩＣ）を含み、端末１１００が操作モードである場合、例えば、呼び出しモード、記録モードと音声認識モードである場合、マイクロフォンは外部のオーディオ信号を受信するように構成されている。受信されたオーディオ信号は、さらにメモリに記憶されることができる。一部の実施例において、オーディオモジュール１１５０は、さらにオーディオ信号を出力するスピーカーを含む。
【００８７】
Ｉ／Ｏインターフェース１１６０は、処理モジュール１１３０と周辺インターフェースモジュールとの間にインターフェースを提供し、上記周辺インターフェースモジュールは、キーボード、クリックホイール、ボタンなどであってもよい。これらのボタンは、ホームボタン、ボリュームボタン、スタートボタン及びロックボタンを含むことができるが、それに限定されない。
【００８８】
本発明の実施例は更に表示制御方法を提供し、本実施例は該表示制御方法が表示パネルにおける図９Ａ又は９Ｂ又は９Ｃに示すような格子パネルを含む端末に応用されることを例として説明する。
【００８９】
感光素子アレイが作動する際、格子液晶制御回路により、格子パネルにおける格子液晶層の液晶が透光状態から遮光状態に変換するように制御する。
【００９０】
透光状態は光線が完全に透過できる状態であり、遮光状態は光線が透過できない又は光線の透過率が所定値より小さい状態である。ここで、所定値は予め設定した値である。
【００９１】
感光素子アレイが作動しない場合、格子パネルにおける格子液晶層は透光状態であり、感光素子アレイが作動する場合、端末は格子液晶制御回路により、格子パネルにおける格子液晶層が透光状態から遮光状態に変換するように制御し、格子液晶層がこの状態を維持するように制御する。
【００９２】
感光素子アレイの作動状況は、端末が感光素子を介して画像を収集し、感光素子が画像を収集する際に垂直方向以外の方向の光線の影響を受けないように保証するために、垂直方向以外の方向の光線を遮蔽しなければならず、従って、格子液晶パネルにおける格子液晶層を遮光状態に維持させなければならない。
【００９３】
感光素子アレイが作動しない状況は、端末が感光素子を介して画像を収集せず、画像表示パネルは通常通りに画像を表示しなければならず、この時、格子パネルにおける格子液晶層が遮光状態であれば、画像表示パネルに表示される画像を遮蔽し、従って、感光素子が作動しない際に画像の表示に影響しないために、格子液晶層は透光状態を維持しなければならない。
【００９４】
当業者であれば、明細書を考慮し、ここに開示された発明を実践した上で、本発明のその他の実施態様を容易に想到できる。本願は、本発明の如何なる変形、用途又は適応的変化を含むことを意図しており、これらの変形、用途又は適応的変化は本発明の一般的な原理に準じており、本発明に開示されていない当該技術分野における一般的な知識又は慣用の技術的手段を含む。明細書と実施例は、例示的なものに過ぎず、本発明の技術的範囲と思想は、特許請求の範囲によって決められる。
【００９５】
本発明は、上記の説明及び図面に示された正確な構造に限定されることなく、その要旨を逸脱しない範囲内で様々な補正や変更を行うことができる。本発明の範囲は、特許請求の範囲のみによって限定される。
【図１】
2020115234.tif 000003
【図２Ａ】
2020115234.tif 000004
【図２Ｂ】
2020115234.tif 000005
【図２Ｃ】
2020115234.tif 000006
【図３Ａ】
2020115234.tif 000007
【図３Ｂ】
2020115234.tif 000008
【図３Ｃ】
2020115234.tif 000009
【図４】
2020115234.tif 000010
【図５】
2020115234.tif 000011
【図６Ａ】
2020115234.tif 000012
【図６Ｂ】
2020115234.tif 000013
【図６Ｃ】
2020115234.tif 000014
【図６Ｄ】
2020115234.tif 000015
【図７Ａ】
2020115234.tif 000016
【図７Ｂ】
2020115234.tif 000017
【図７Ｃ】
2020115234.tif 000018
【図７Ｄ】
2020115234.tif 000019
【図７Ｅ】
2020115234.tif 000020
【図７Ｆ】
2020115234.tif 000021
【図８Ａ】
2020115234.tif 000022
【図８Ｂ】
2020115234.tif 000023
【図８Ｃ】
2020115234.tif 000024
【図８Ｄ】
2020115234.tif 000025
【図９Ａ】
2020115234.tif 000026
【図９Ｂ】
2020115234.tif 000027
【図９Ｃ】
2020115234.tif 000028
【図１０】
2020115234.tif 000029
【図１１】
2020115234.tif 000030
【手続補正書】
【提出日】令和2年5月3日(2020.5.3)
【手続補正１】
【補正対象書類名】特許請求の範囲
【補正対象項目名】全文
【補正方法】変更
【補正の内容】
【特許請求の範囲】
【請求項１】
画像表示パネルと、
複数のアレイ配置された感光素子を含む感光素子アレイと、
格子パネルと、
を含み、
前記画像表示パネルは、アレイ基板を備え、前記アレイ基板は、透明電極領域を備えたサブ画素ユニットを含み、
前記格子パネルは、液晶領域と光漏れ領域とを備えた格子液晶層を含み、
前記液晶領域は、前記透明電極領域と重なっていることを特徴とする表示パネル。
【請求項２】
前記画像表示パネルは、前記アレイ基板の上層に位置している有機発光表示ＯＬＥＤ層をさらに含み、
前記感光素子アレイは前記アレイ基板と同層であり、又は、前記感光素子アレイは前記アレイ基板と前記ＯＬＥＤ層との間に位置しており、
前記アレイ基板は、それぞれ透明電極領域と薄膜トランジスタＴＦＴ領域とを含むｍ＊ｎ個のサブ画素ユニットを含み、
前記感光素子アレイは、それぞれ１つのサブ画素ユニットの前記ＴＦＴ領域に設置されたａ＊ｂ個の感光素子を含み、
ａ≦ｍ、ｂ≦ｎである、
ことを特徴とする、請求項１に記載の表示パネル。
【請求項３】
前記感光素子アレイが前記アレイ基板と同層又は前記アレイ基板と前記ＯＬＥＤ層との間に位置している場合、前記格子パネルは、前記ＯＬＥＤ層の上に位置する、
ことを特徴とする、請求項２に記載の表示パネル。
【請求項４】
前記画像表示パネルは、バックライトと、前記バックライトの上層に位置しているアレイ基板と、前記アレイ基板の上層に位置している液晶層と、前記液晶層の上層に位置しているカラーフィルター層と、前記カラーフィルター層の上層に位置している偏光子と、を含み、
前記感光素子アレイは前記アレイ基板と同層であり、又は、前記感光素子アレイは前記アレイ基板と前記液晶層との間に位置しており、又は、前記感光素子アレイは前記液晶層と前記カラーフィルター層との間に位置しており、
前記アレイ基板は、ｍ＊ｎ個の透明電極領域と薄膜トランジスタＴＦＴ領域とを含むサブ画素ユニットを含み、
前記感光素子アレイは、それぞれ１つのサブ画素ユニットの前記ＴＦＴ領域に設置されたａ＊ｂ個の感光素子を含み、
ａ≦ｍ、ｂ≦ｎである、
ことを特徴とする、請求項１に記載の表示パネル。
【請求項５】
前記感光素子アレイがアレイ基板と同層である場合、前記格子パネルはアレイ基板の上に位置しており、
前記感光素子アレイが前記アレイ基板と前記液晶層との間に位置している場合、前記格子パネルは前記液晶層の上に位置し、
前記感光素子アレイが前記液晶層と前記カラーフィルター層との間に位置している場合、前記格子パネルは前記感光素子アレイと前記カラーフィルター層との間に位置しており、又は、前記カラーフィルター層の上に位置する、
ことを特徴とする、請求項４に記載の表示パネル。
【請求項６】
前記格子パネルは、前記透明電極領域と重なっている遮光領域と、光漏れ領域と、を含むことを特徴とする、請求項１〜５のいずれか一項に記載の表示パネル。
【請求項７】
前記格子パネルは、下部偏光子と、前記下部偏光子の上層に位置している格子液晶層と、前記格子液晶層の上層に位置している上部偏光子と、を含むことを特徴とする、請求項１〜５のいずれか一項に記載の表示パネル。
【請求項８】
前記格子パネルは、前記画像表示パネルにおける前記偏光子の上層に位置しており、格子液晶層と、前記格子液晶層の上層に位置している上部偏光子とを含み、又は、
前記格子パネルは、前記カラーフィルター層と前記偏光子との間に位置しており、前記偏光子の下層に位置している格子液晶層と、前記格子液晶層の下層に位置している下部偏光子層とを含む、
ことを特徴とする、請求項４又は５に記載の表示パネル。
【請求項９】
更に、前記格子液晶層に接続されている格子液晶制御回路を含むことを特徴とする、請求項７又は８に記載の表示パネル。
【請求項１０】
請求項１〜９のいずれか一項に記載の表示パネルを含むことを特徴とする端末。
【請求項１１】
請求項９に記載の表示パネルを含む端末に応用される表示制御方法であって、
前記感光素子アレイが作動する際、前記格子液晶制御回路により、前記格子パネルにおける前記格子液晶層が透光状態から遮光状態に変換するように制御することを含む、
ことを特徴とする表示制御方法。